(57)【要約】【課題】未反応のオゾンの発生を抑制しながら、効率よく水処理を行うことが可能な水処理装置を提供する。【解決手段】この水処理装置１００は、被処理水が流入する反応槽１と、反応槽１内にオゾンを散気にて供給する散気装置３と、オゾンと被処理水とを混合して反応槽１の被処理水中に供給するエジェクタ装置４とを備え、エジェクタ装置４により反応槽１内に供給されるオゾンの量は、散気装置３により反応槽１内に供給されるオゾンの量よりも少ない。【選択図】図１
2016193410.tif 000002
【特許請求の範囲】
【請求項１】
被処理水が流入する反応槽と、
前記反応槽内にオゾンを散気にて供給する散気装置と、
オゾンと被処理水とを混合して前記反応槽の被処理水中に供給するエジェクタ装置とを備え、
前記エジェクタ装置により前記反応槽内に供給されるオゾンの量は、前記散気装置により前記反応槽内に供給されるオゾンの量よりも少ない、水処理装置。
【請求項２】
前記エジェクタ装置により前記反応槽内に供給されるオゾンの量は、前記反応槽内に供給される全オゾンの量の３％以上５０％未満である、請求項１に記載の水処理装置。
【請求項３】
前記散気装置は、前記反応槽の底部近傍からオゾンを供給するように構成されており、
前記エジェクタ装置は、混合された被処理水およびオゾンを前記反応槽内に供給する吐出部が接続されており、
前記吐出部は、前記反応槽の半分以下の高さで、かつ、前記散気装置のオゾン供給位置よりも高い位置から被処理水およびオゾンを供給するように構成されている、請求項１または２に記載の水処理装置。
【請求項４】
前記エジェクタ装置は、混合された被処理水およびオゾンを前記反応槽内に供給する吐出部が接続されており、
前記吐出部は、被処理水およびオゾンを前記反応槽の被処理水中に下向きに噴射して供給するように構成されている、請求項１〜３のいずれか１項に記載の水処理装置。
【請求項５】
被処理水を反応槽に流入させる工程と、
前記反応槽内にオゾンを散気にて供給する工程と、
オゾンと被処理水とを混合して前記反応槽の被処理水中にエジェクタ装置により供給する工程とを備え、
前記エジェクタ装置により前記反応槽内に供給されるオゾンの量は、散気により前記反応槽内に供給されるオゾンの量よりも少ない、水処理方法。
【発明の詳細な説明】
【技術分野】
【０００１】
この発明は、水処理装置および水処理方法に関し、特に、オゾンにより水処理を行う水処理装置および水処理方法に関する。
【背景技術】
【０００２】
従来、オゾンにより水処理を行う水処理装置が知られている（たとえば、特許文献１参照）。
【０００３】
上記特許文献１には、原水が供給される循環タンクと、循環タンクにオゾンを供給する散気筒と、循環タンクから放出される未反応のオゾンの一部を循環流路に戻すエジェクタとを備えるオゾン処理装置（水処理装置）が開示されている。このオゾン処理装置では、循環流路に戻された未反応のオゾンは、上方から循環タンク内に戻されている。
【先行技術文献】
【特許文献】
【０００４】
【特許文献１】特開２００５−２５４１３６号公報
【発明の概要】
【発明が解決しようとする課題】
【０００５】
オゾン処理では、未反応のオゾンを減らし、いかに効率よくオゾンを溶解させ反応させるかがコストの面で重要である。そのために、たとえば、５ｍ以上の水深を有するように反応槽の高さを大きくしたり、Ｕチューブのような特殊な反応槽にするなどの工夫がなされている。しかしながら、これらの方法は、反応槽が大きい、または複雑であり、コストが増大するという問題点がある。またエジェクタを用いてオゾン処理を行うと、オゾンの溶解効率を向上させることができるため未反応のオゾンが排出されるのを抑制できるが、ポンプなどの動力による消費電力が大きくなりすぎてしまうため、大量のオゾンをエジェクタで注入することは困難である。上記特許文献１のオゾン処理装置（水処理装置）では、未反応のオゾンがある程度の量で発生することから、そのオゾンを有効利用するために、未反応のオゾンの一部を循環流路に戻すことを前提としている。この方法では、未反応のオゾンの一部しか有効利用できないにもかかわらず、ポンプなどの消費動力が大きくなってしまう。また、循環流路に戻された未反応のオゾンは、上方から循環タンク内に戻されるため、水面付近に滞留して再び排出されると考えられ、効率よく水処理を行うことができないという不都合もある。これらの結果、特許文献１では、未反応のオゾンの発生を抑制しながら、効率よく水処理を行うことが困難であるという問題点がある。
【０００６】
この発明は、上記のような課題を解決するためになされたものであり、この発明の目的は、未反応のオゾンの発生を抑制しながら、効率よく水処理を行うことが可能な水処理装置および水処理方法を提供することである。
【課題を解決するための手段】
【０００７】
この発明の水処理装置（第１の局面）は、被処理水が流入する反応槽と、反応槽内にオゾンを散気にて供給する散気装置と、オゾンと被処理水とを混合して反応槽の被処理水中に供給するエジェクタ装置とを備え、エジェクタ装置により反応槽内に供給されるオゾンの量は、散気装置により反応槽内に供給されるオゾンの量よりも少ない。
【０００８】
この発明の水処理装置（第１の局面）では、上記のように、反応槽内にオゾンを散気にて供給する散気装置と、オゾンと被処理水とを混合して反応槽の被処理水中に供給するエジェクタ装置とを設ける。これにより、散気装置およびエジェクタ装置の両方により被処理水中にオゾンを供給することができるので、散気装置のみからオゾンを供給する場合に比べて、目標の水質に到達するまでに必要なオゾンの供給量が増加するのを抑制することができる。なぜなら、エジェクタ装置によりオゾンと被処理水とを混合して反応槽の被処理水中に供給することによって、水流により反応槽内に下降流を発生させれば、被処理水中の未溶解のオゾンの上昇速度を抑制することができるので、オゾンの被処理水への溶解度を高めることができるからである。また、エジェクタ装置を併用することにより、オゾンと被処理水とを強制的に混合させるので、溶解したオゾンと対象物質との反応の場を積極的に作り出すことができる。オゾンは溶解することにより被処理水中の対象物質と反応するため、オゾンの溶解効率を向上させることにより供給するオゾンの多くを対象物質の反応に用いることができる。これにより、未反応のオゾンが排出されるのを抑制することができる。また、対象物質の酸化や分解などの反応を効率よく引き起こすことができるので、必要なオゾンの量を最小限にすることができる。これらの結果、未反応のオゾンの発生を抑制しながら、効率よく水処理を行うことができる。その結果、オゾン処理装置の大きさを小さくすることができる。また、エジェクタ装置により反応槽内に供給されるオゾンの量を、散気装置により反応槽内に供給されるオゾンの量よりも少なくすることにより、エジェクタ装置を駆動させるポンプなどの動力による電力消費が大きくなるのを抑制しながら、オゾンにより効率よく水処理を行うことができる。
【０００９】
上記第１の局面による水処理装置において、好ましくは、エジェクタ装置により反応槽内に供給されるオゾンの量は、反応槽内に供給される全オゾンの量の３％以上５０％未満である。このように、エジェクタ装置により反応槽内に供給されるオゾンの量を、反応槽内に供給される全オゾンの量の３％以上５０％未満にすることにより、電力消費が大きくなるのを抑制しながら、オゾンにより効率よく水処理を行うことができる。
【００１０】
上記第１の局面による水処理装置において、好ましくは、散気装置は、反応槽の底部近傍からオゾンを供給するように構成されており、エジェクタ装置は、混合された被処理水およびオゾンを反応槽内に供給する吐出部が接続されており、吐出部は、反応槽の半分以下の高さで、かつ、散気装置のオゾン供給位置よりも高い位置から被処理水およびオゾンを供給するように構成されている。このように構成すれば、吐出部から供給されたオゾンが、反応槽内で水中に滞留することができるため、特許文献１の上方に戻された時のように供給されたオゾンが水面付近に滞留して再び排出されるのを抑制することができる。これにより、エジェクタ装置から供給されるオゾンを被処理水中でも効果的に反応させることができる。
【００１１】
上記第１の局面による水処理装置において、好ましくは、エジェクタ装置は、混合された被処理水およびオゾンを反応槽内に供給する吐出部が接続されており、吐出部は、被処理水およびオゾンを反応槽の被処理水中に下向きに噴射して供給するように構成されている。このように構成すれば、反応槽内に下降流を生成することができるので、散気装置および吐出部から供給されるオゾンの気泡の上昇速度を抑制することができる。これにより、オゾンが水面に到達するまでの滞留時間を長くすることができるので、散気装置およびエジェクタ装置により供給したオゾンの被処理水への溶解度をさらに高めることができる。なお、吐出部を反応槽の半分以下に設置すれば、反応槽の上部において被処理水およびオゾンを噴射する場合に比べて、反応槽の上部に滞留してすぐに排出されてしまうことを抑制することができる。つまり、下降流はできるだけ反応槽内全体に作ることが好ましいので、反応槽上部に噴射する方が良いが、上記理由により、反応槽の半分以下の高さに吐出部を設けることが好ましい。
【００１２】
この発明の水処理方法（第２の局面）は、被処理水を反応槽に流入させる工程と、反応槽内にオゾンを散気にて供給する工程と、オゾンと被処理水とを混合して反応槽の被処理水中にエジェクタ装置により供給する工程とを備え、エジェクタ装置により反応槽内に供給されるオゾンの量は、散気により反応槽内に供給されるオゾンの量よりも少ない。
【００１３】
この発明の水処理方法（第２の局面）では、上記のように、反応槽内にオゾンを散気にて供給する工程と、オゾンと被処理水とを混合して反応槽の被処理水中にエジェクタ装置により供給する工程とを設ける。これにより、散気およびエジェクタ装置の両方により被処理水中にオゾンを供給することができるので、散気のみによりオゾンを供給する場合に比べて、目標の水質に到達するまでに必要なオゾンの供給量が増加するのを抑制することができる。なぜなら、エジェクタ装置によりオゾンと被処理水とを混合して反応槽の被処理水中に供給することによって、水流により反応槽内に下降流を発生させれば、被処理水中の未溶解のオゾンの上昇速度を抑制することができるので、オゾンの被処理水への溶解度を高めることができるからである。また、エジェクタ装置を併用することにより、オゾンと被処理水とを強制的に混合させるので、溶解したオゾンと対象物質との反応の場を積極的に作り出すことができる。オゾンは溶解することにより被処理水中の対象物質と反応するため、オゾンの溶解効率を向上させることにより供給するオゾンの多くを対象物質の反応に用いることができる。これにより、未反応のオゾンが排出されるのを抑制することができる。また、対象物質の酸化や分解などの反応を効率よく引き起こすことができるので、必要なオゾンの量を最小限にすることができる。これらの結果、未反応のオゾンの発生を抑制しながら、効率よく水処理を行うことが可能な水処理方法を提供することができる。その結果、オゾン処理装置の大きさを小さくすることが可能な水処理方法を提供することができる。また、エジェクタ装置により反応槽内に供給されるオゾンの量を、散気により反応槽内に供給されるオゾンの量よりも少なくすることにより、エジェクタ装置を駆動させるポンプなどの動力による電力消費が大きくなるのを抑制しながら、オゾンにより効率よく水処理を行うことができる。
【発明の効果】
【００１４】
本発明によれば、上記のように、未反応のオゾンの発生を抑制しながら、効率よく水処理を行うことができる。
【図面の簡単な説明】
【００１５】
【図１】本発明の実施形態による水処理装置を示した概略図である。
【図２】実施例および比較例による処理水の色度とオゾン注入量との関係を説明するためのグラフである。
【発明を実施するための形態】
【００１６】
以下、本発明の実施形態を図面に基づいて説明する。
【００１７】
（水処理装置の構成）
図１を参照して、本発明の一実施形態による水処理装置１００の構成について説明する。
【００１８】
本発明の実施形態による水処理装置１００は、被処理水（廃水）をオゾンにより処理するように構成されている。被処理水（廃水）は、たとえば、工業、農業、畜産業または家庭（生活用）などから排出される廃水などである。なお、廃水は、水処理装置１００の上流および下流において、生物処理、物理的処理および化学的処理などの他の水処理が行われる。また、水処理装置１００は、被処理水（廃水）中のＢＯＤ（生物化学的酸素要求量）およびＣＯＤ（化学的酸素要求量）を低減する処理を行うように構成されている。図１に示すように、水処理装置１００は、反応槽１と、オゾン発生装置２と、散気装置３と、エジェクタ装置４とを備えている。
【００１９】
反応槽１は、底部１ａを含んでいる。散気装置３は、散気部３１と、バルブ３２と、流量計３３とを含んでいる。エジェクタ装置４は、吐出部４１と、エジェクタ４２と、ポンプ４３と、バルブ４４と、流量計４５とを含んでいる。
【００２０】
反応槽１は、底部１ａを底面とした円筒形状に形成されている。また、反応槽１には、被処理水が流入するように構成されている。被処理水は、反応槽１の上部から流入するように構成されている。そして、反応槽１による処理後の処理水は、反応槽１の下部から流出するように構成されている。具体的には、反応槽１の下部に配管１１が接続されている。そして、反応槽１に被処理水が流入する分だけ、配管１１を介して処理水がオーバーフローして排水される。つまり、反応槽１の被処理水の水深がｈ１となるように配管１１のオーバーフロー位置が設定されている。
【００２１】
また、反応槽１の下部には配管１２が接続されている。配管１２は、配管１１とは反対側に配置されている。配管１２から取り出される被処理水は、エジェクタ装置４によりオゾンと混合されて、反応槽１に戻される。
【００２２】
オゾン発生装置２は、空気中の酸素または液体酸素を原料としてオゾン（Ｏ３）を生成する。具体的には、オゾンの原料は、空気、空気からＰＳＡ（圧力変動吸着）方式などにより分離した酸素ガスまたは液体酸素などが用いられる。また、オゾン発生装置２は、生成したオゾンを散気装置３およびエジェクタ装置４に供給するように構成されている。なお、オゾン発生装置２から供給されるオゾン（オゾン含有ガス）には、未反応の原料が混合している。たとえば、空気を原料にした場合、供給されるオゾンには、酸素や窒素などが混合している。
【００２３】
散気装置３は、反応槽１内にオゾン含有ガスを散気にて供給するように構成されている。具体的には、散気装置３は、オゾン発生装置２から供給されるオゾン含有ガスを散気部３１から散気するように構成されている。散気部３１は、オゾン含有ガスを細かい泡にして被処理水中に放出するように構成されている。散気部３１は、反応槽１の底部１ａ近傍に配置されている。つまり、オゾンが反応槽１の底部１ａ近傍から散気部３１により供給される。
【００２４】
バルブ３２は、散気装置３により供給されるオゾン含有ガスの量を調整するために設けられている。バルブ３２は、開度を調整することにより、通過するオゾン含有ガスの流量を調整している。流量計３３は、散気装置３を通過するオゾン含有ガスの流量を計測するために設けられている。
【００２５】
ここで、本実施形態では、エジェクタ装置４は、オゾン含有ガスと反応槽１から取り出された被処理水とを混合して反応槽１の被処理水中に供給するように構成されている。具体的には、エジェクタ装置４は、反応槽１の半分以下の高さで、かつ、散気装置３の散気部３１（オゾン供給位置）よりも高い位置に被処理水およびオゾンを供給するように構成されている。また、反応槽１から取り出されてエジェクタ装置４によりオゾン含有ガスと混合される被処理水は、反応槽１の下部から取り出されるように構成されている。
【００２６】
つまり、反応槽１内の被処理水は、反応槽１の下部に接続された配管１２を介してポンプ４３に吸い込まれる。ポンプ４３により加圧された被処理水は、エジェクタ４２によりオゾン含有ガスと混合される。混合された被処理水およびオゾンは、反応槽１内に配置された吐出部４１から吐出（噴射）される。
【００２７】
吐出部４１は、噴射口４１ａを有している。吐出部４１は、噴射口４１ａが下向きになるように配置されている。つまり、吐出部４１から噴射される被処理水およびオゾンは、反応槽１の被処理水中に下向きに噴射される。また、吐出部４１の噴射口４１ａは、反応槽１の底部１ａから高さｈ２の位置に配置されている。なお、高さｈ２は、反応槽１の高さの半分以下である。さらに、高さｈ２は、反応槽１内の被処理水の水深ｈ１の半分以下である。
【００２８】
エジェクタ４２は、液体の流路に設けられた急縮小部により負圧を発生させてオゾン含有ガスを吸い込むように構成されている。つまり、エジェクタ４２により、被処理水およびオゾンが混合される。これにより、オゾン（Ｏ３）が被処理水に効率よく溶解される。そして、混合された被処理水およびオゾンは、配管を介して吐出部４１に送られる。
【００２９】
ポンプ４３は、配管１２を介して反応槽１の下部から供給される被処理水をエジェクタ４２に送るように構成されている。ポンプ４３の駆動を制御するなどの操作により、循環する被処理水の流量が調整される。
【００３０】
バルブ４４は、エジェクタ装置４により供給されるオゾン含有ガスの量を調整するために設けられている。バルブ４４は、開度を調整することにより、通過するオゾン含有ガスの流量を調整している。流量計４５は、エジェクタ装置４を通過するオゾン含有ガスの流量を計測するために設けられている。
【００３１】
ここで、本実施形態では、エジェクタ装置４により反応槽１内に供給されるオゾンの量は、散気装置３により反応槽１内に供給されるオゾンの量よりも少ない。具体的には、エジェクタ装置４により反応槽１内に供給されるオゾンの量は、反応槽１内に供給される全オゾンの量の３％以上５０％未満である。つまり、バルブ３２および４４を調整することにより、エジェクタ装置４に供給されるオゾンの流量が散気装置３に供給されるオゾンの流量よりも少なくなるように調整される。
【００３２】
（実施形態の効果）
本実施形態では、以下のような効果を得ることができる。
【００３３】
本実施形態では、上記のように、反応槽１内にオゾンを散気にて供給する散気装置３と、オゾンと被処理水とを混合して反応槽１の被処理水中に供給するエジェクタ装置４とを設ける。これにより、散気装置３およびエジェクタ装置４の両方により被処理水中にオゾンを供給することができるので、散気装置３のみからオゾンを供給する場合に比べて、目標の水質に到達するまでに必要なオゾンの供給量が増加するのを抑制することができる。また、エジェクタ装置４によりオゾンと被処理水とを混合して反応槽１の被処理水中にオゾンを供給することによって、オゾンと被処理水とを強制的に混合させるので、溶解したオゾンと対象物質との反応の場を積極的に作り出すことができる。これにより、対象物質の酸化や分解などの反応を効率よく引き起こすことができるので、必要なオゾンの量を最小限にすることができる。この結果、未反応のオゾンの発生を抑制しながら、効率よく水処理を行うことができる。その結果、オゾン処理装置１００の大きさを小さくすることができる。
【００３４】
また、本実施形態では、上記のように、エジェクタ装置４により反応槽１内に供給されるオゾンの量を、散気装置３により反応槽１内に供給されるオゾンの量よりも少なくする。これにより、エジェクタ装置４を駆動させるポンプ４３による電力消費が大きくなるのを抑制しながら、オゾンにより効率よく水処理を行うことができる。
【００３５】
また、本実施形態では、上記のように、エジェクタ装置４により反応槽１内に供給されるオゾンの量を、反応槽１内に供給される全オゾンの量の３％以上５０％未満にする。このように、エジェクタ装置４により反応槽１内に供給されるオゾンの量を、反応槽１内に供給される全オゾンの量の３％以上５０％未満にすることにより、電力消費が大きくなるのを抑制しながら、オゾンにより効率よく水処理を行うことができる。
【００３６】
また、本実施形態では、上記のように、散気装置３を、反応槽１の底部１ａ近傍からオゾンを供給するように構成するとともに、エジェクタ装置４の吐出部４１を、反応槽１の半分以下の高さで、かつ、散気装置３のオゾン供給位置よりも高い位置から被処理水およびオゾンを供給するように構成する。これにより、吐出部４１から供給されたオゾンが、反応槽１内で水中に滞留することができるため、特許文献１の上方に戻された時のように供給されたオゾンが水面付近に滞留して再び排出されるのを抑制することができる。これにより、エジェクタ装置４から供給されるオゾンを被処理水中でも効果的に反応させることができる。
【００３７】
また、本実施形態では、上記のように、エジェクタ装置は、被処理水およびオゾンを反応槽の被処理水中に下向きに噴射して供給するように構成されている。このように構成すれば、反応槽１内に下降流を生成することができるので、散気装置３および吐出部４１から供給されるオゾンの気泡の上昇速度を抑制することができる。これにより、オゾンが水面に到達するまでの時間を長くすることができるので、散気装置３およびエジェクタ装置４により供給したオゾンの被処理水への溶解度をさらに高めることができる。また、吐出部４１を反応槽１の半分以下に設置することにより、反応槽１の上部において被処理水およびオゾンを噴射する場合に比べて、反応槽１の上部に滞留してすぐに排出されてしまうことを抑制することができる。つまり、下降流はできるだけ反応槽１内全体に作ることが好ましいので、反応槽１上部に噴射する方が良いが、上記理由により、反応槽１の半分以下の高さに吐出部４１を設けることが好ましい。
【００３８】
（実施例の説明）
次に、図２を参照して、図１に示した実施形態による水処理装置１００を用いて被処理水に対して水処理を行った実験結果について説明する。
【００３９】
実施例１では、反応槽１に供給される全オゾンの量の９０％を散気装置３から供給し、全オゾンの量の１０％をエジェクタ装置４から供給した。また、実施例１では、反応槽１の半分以上の高さの位置からエジェクタ装置４によりオゾンおよび被処理水を供給した。
【００４０】
実施例２では、反応槽１に供給される全オゾンの量の９０％を散気装置３から供給し、全オゾンの量の１０％をエジェクタ装置４から供給した。また、実施例２では、反応槽１の半分以下の高さの位置からエジェクタ装置４によりオゾンおよび被処理水を供給した。
【００４１】
比較例１では、反応槽１に供給される全オゾンの量の１００％を散気装置３から供給した。つまり、エジェクタ装置４からのオゾンの供給は行っていない。
【００４２】
比較例２では、反応槽１に供給される全オゾンの量の１００％をエジェクタ装置４から供給した。つまり、散気装置３からのオゾンの供給は行っていない。また、比較例２では、反応槽１の半分以上の高さの位置からエジェクタ装置４によりオゾンおよび被処理水を供給した。
【００４３】
図２に示すように、散気装置３およびエジェクタ装置４の両方によりオゾンを供給した実施例１および実施例２では、散気装置３のみによりオゾンを供給した比較例１よりも処理水の色度が小さくなっている。なお、図２の色度は、処理前の被処理水の色度を１００％として、処理後の処理水の色度を相対的に表している。つまり、被処理水中の色成分がオゾンにより分解（酸化）されることにより、処理水の色度が小さくなる。言い換えると、処理水の色度は、オゾンにより被処理水が処理されている程度を表す。
【００４４】
散気装置３およびエジェクタ装置４の両方によりオゾンを供給した実施例１および実施例２では、エジェクタ装置４のみによりオゾンを供給した比較例２よりも処理水の色度がわずかに大きくなっている。つまり、エジェクタ装置４によるオゾンの供給の割合を大きくすることにより、水処理の効率が高くなることが分かる。ただし、エジェクタ装置４によるオゾンの供給の割合が大きくなると、ポンプ４３による電力消費が大きくなる。このため、エジェクタ装置４によるオゾンの供給の割合を全オゾンの供給量の３％以上５０％未満とすることが好ましい。なお、この割合は、被処理水の性質により変動する。
【００４５】
エジェクタ装置４により反応槽１の下部にオゾンを供給する実施例２では、エジェクタ装置４により反応槽１の上部にオゾンを供給する実施例１よりも処理水の色度がわずかに小さくなっている。つまり、供給される全オゾンの量に対するエジェクタ装置４に供給される割合が同じ場合、エジェクタ装置４により反応槽１の下部にオゾンを供給する方が水処理の効率が高くなる。
【００４６】
（変形例）
なお、今回開示された実施形態および実施例は、すべての点で例示であって制限的なものではないと考えられるべきである。本発明の範囲は、上記した実施形態および実施例の説明ではなく特許請求の範囲によって示され、さらに特許請求の範囲と均等の意味および範囲内でのすべての変更（変形例）が含まれる。
【００４７】
たとえば、上記実施形態では、水処理装置を用いて廃水の処理を行う構成の例を示したが、本発明はこれに限られない。本発明の水処理装置を用いて廃水以外の水を処理してもよい。
【００４８】
また、上記実施形態では、エジェクタ装置により反応槽の半分以下の高さ位置から被処理水およびオゾンを供給する構成の例を示したが、本発明はこれに限られない。本発明では、エジェクタ装置により反応槽の半分以上の高さ位置から被処理水およびオゾンを供給してもよい。
【００４９】
また、上記実施形態では、水処理装置により被処理水中のＢＯＤおよびＣＯＤを低減させる例を示したが、本発明はこれに限られない。本発明の水処理装置により、殺菌、消毒、脱色、脱臭などを目的として水処理を行ってもよい。
【００５０】
また、上記実施形態では、散気装置およびエジェクタ装置に供給されるオゾンを共通のオゾン発生装置を用いて生成する構成の例を示したが、本発明はこれに限られない。本発明では、別個に設けられたオゾン発生装置から、それぞれ、散気装置およびエジェクタ装置にオゾンを供給してもよい。
【００５１】
また、上記実施形態では、水処理装置によりオゾンを用いて水処理を行う構成の例を示したが、本発明はこれに限られない。本発明の水処理装置を、オゾンに加えて、過酸化水素などの酸化剤や、紫外線などを併用して促進酸化を行う水処理装置に適用してもよい。
【００５２】
また、上記実施形態では、反応槽内の被処理水をエジェクタに供給してオゾンと混合する例を示したが、本発明はこれに限られない。本発明では、反応槽に供給する前の被処理水の原水をエジェクタに供給してオゾンと混合してから、反応槽内に供給してもよい。
【符号の説明】
【００５３】
１  反応槽
１ａ  底部
３  散気装置
４  エジェクタ装置
１００  水処理装置
【図１】
2016193410.tif 000003
【図２】
2016193410.tif 000004